(57)【要約】【課題】マッサージ効果と温灸効果とを簡単に得られるマッサージ機を得る。【解決手段】揺動する振動板４上に２つの温灸突起１０，１２を所定間隔を開けて設けた。温灸突起１０，１２は、半球状の温熱体２４と、温熱体２４を覆うパッド２８と、パッド２８を覆うネット３０とを備えた。温熱体２４の内部に電熱ヒータ３６を設けると共に、放熱板３４を設けた。パッド２８には薬効成分を含ませると共に、パッド２８を着脱可能に設けた。【選択図】　図５
2004073643.tif 000002
【特許請求の範囲】
【請求項１】
振動板を揺動してマッサージを施すマッサージ機において、
前記振動板上に温灸突起を設け、該温灸突起は、半球状の温熱体と、該温熱体を覆うパッドと、該パッドを覆うネットとを備えたことを特徴とするマッサージ機。
【請求項２】
前記温熱体の内部に放熱板を設けたことを特徴とする請求項１記載のマッサージ機。
【請求項３】
前記パッドには薬効成分を含ませたことを特徴とする請求項１又は請求項２記載のマッサージ機。
【請求項４】
前記パッドを着脱可能に設けたことを特徴とする請求項１ないし請求項３記載のマッサージ機。
【発明の詳細な説明】
【０００１】
【発明の属する技術分野】
本発明は、振動板を揺動してマッサージを施すマッサージ機に関するものである。
【０００２】
【従来の技術】
従来より、揺動する振動板によりマッサージを施すマッサージ機としては種々のものが知られている。例えば、特開２０００−１０７２４９号公報にあるように、揺動する振動板上に発熱体を配置し、発熱体の発熱周期を制御する制御回路を設け、振動板によるマッサージ効果だけでなく、快適な温感刺激感をも得られるようにしたものが提案されている。
【０００３】
【発明が解決しようとする課題】
しかしながら、こうした従来のものでは、振動板によるマッサージ効果と温感刺激感とが得られるものの、他の効果、例えば、温灸効果をも得ようとすると、別途温灸器を用意して、温灸器を患部に当てて温灸効果を得なければならないという問題があった。
【０００４】
本発明の課題は、マッサージ効果と温灸効果とを簡単に得られるマッサージ機を提供することにある。
【０００５】
【課題を解決するための手段】
かかる課題を達成すべく、本発明は課題を解決するため次の手段を取った。即ち、
振動板を揺動してマッサージを施すマッサージ機において、
前記振動板上に温灸突起を設け、該温灸突起は、半球状の温熱体と、該温熱体を覆うパッドと、該パッドを覆うネットとを備えたことを特徴とするマッサージ機がそれである。また、前記温熱体の内部に放熱板を設けた構成としてもよい。あるいは、前記パッドには薬効成分を含ませてもよい。更に、前記パッドを着脱可能に設けた構成としてもよい。
【０００６】
【発明の実施の形態】
以下本発明の実施の形態を図面に基づいて詳細に説明する。
図１〜図３に示すように、１は箱型状に形成されたマッサージ機本体で、本実施形態では、マッサージ機本体１の側方には取手２が一体形成されている。４は合成樹脂等により形成された振動板で、振動板４は、マッサージ機本体１の上面側に配置され、矩形に形成されている。
【０００７】
振動板４の上面には、半球状の多数の小突起６が一面に設けられると共に、振動板４の周囲には、複数の中突起８が設けられ、ほぼ中央には２つの温灸突起１０，１２が所定の間隔で設けられている。この間隔は、患部に応じて適宜決定すればよい。
【０００８】
図４に示すように、振動板４とマッサージ機本体１とは、ゴム等を素材に用いて円柱状に形成された弾性支柱１３により連結されている。弾性支柱１３は、振動板４の各コーナー付近にマッサージ機本体１から、４個立設されており、その両端が各々振動板４の裏面側とマッサージ機本体１とに固着され、振動板４が略水平面内で揺動できるように構成されている。
【０００９】
また、マッサージ機本体１にはモータ１４が内蔵されており、モータ１４の図示しない出力軸には偏心軸１６が螺着されている。偏心軸１６は、振動板４の下面側に嵌着された軸受け１８に嵌入されている。偏心軸１６は、モータ１４の出力軸に所定量偏心して取り付けられており、また、偏心軸１６と振動板４とは、軸受け１８を介して接続され、相対的に回転できるようにされている。更に、偏心軸１６には、冷却ファン２０が取り付けられており、冷却ファン２０には、カウンタウェイト２２が固定されている。
【００１０】
２つの温灸突起１０，１２は、同一構成であるので、一方の温灸突起１０について図５によって説明する。温灸突起１０は半球状に形成された温熱体２４を備え、温熱体２４の半球面２６には不織布により形成されたパッド２８が覆い被せられている。パッド２８は、２枚の不織布の間にもぐさを挟み、不織布の周囲を接着してもくさを含ませたものであり、不織布には更にもぐさ臭を含浸しているが、他の薬効成分を含ませてもよい。パッド２８には更に目の粗いネット３０が覆い被せられている。
【００１１】
温熱体２４には、半球面２６と反対側に有底孔３２が形成されており、有底孔３２にはアルミ製の放熱板３４が挿入されると共に、電熱ヒータ３６が挿入され、更に保持部材３８が挿入されている。温熱体２４に取り付けられた押え板４０と保持部材３８との間には、コイルばね４２が介装されている。
【００１２】
このコイルばね４２により保持部材３８を介して放熱板３４が有底孔３２の底に押し付けられると共に、電熱ヒータ３６が放熱板３４に押し付けられている。電熱ヒータ３６は、本実施形態では、ＰＴＣサーミスタを用いており、可撓性を有するケーブル等に接続されたコネクタ４３を介して図示しない発熱体駆動回路に接続されている。
【００１３】
温灸突起１０は、振動板４に立設された円筒状のベース部４４に設けられている。ベース部４４の外周には、雄ねじ４６が螺刻されている。温灸突起１０は、ベース部４４に、温熱体２４、ネット３０のリング部３０ａが順に積層され、キャップ４８が雄ねじ４６に螺着されて、これらが固定されている。キャップ４８と雄ねじ４６との螺合により、キャップ４８が着脱可能に構成されており、キャップ４８を緩めることにより、パッド２８が着脱可能であり、新たなパッド２８と交換することができる。
【００１４】
次に前述した本実施形態のマッサージ機の作動について説明する。
モータ１４を回転駆動して偏心軸１６を回転すると、軸受け１８を介して、振動板４がモータ１４の出力軸を中心にして、弾性支柱１３に支えられながら揺動する。また、偏心軸１６と共に、冷却ファン２０も回転し、冷却ファン２０の回転により、モータ１４が空冷され、カウンタウェイト２２が旋回し、振動板４の揺動方向の反動を打ち消す。
【００１５】
そして、例えば、足裏、背中、首等の患部を振動板４に当ててマッサージを受けることができる。その際、小突起６、中突起８、温灸突起１０，１２を患部に当て、それぞれの指圧効果を得ながら振動板４の揺動によるマッサージを受けることができる。
【００１６】
一方、電熱ヒータ３６の発熱により、放熱板３４、温熱体２４が暖められる。温灸突起１０，１２を患部に押し当てることにより、放熱板３４、温熱体２４を介して患部が暖められ、温灸効果を得ることができる。また、パッド２８からもぐさ成分が抽出されて、患部に浸透することにより患部を治癒する効果が得られる。尚、パッド２８は、もぐさに代えて、他の薬効等を有する成分を２枚の不織布の間に挟んだものでもよく、あるいは、１枚の不織布等に薬効抽出成分を含浸させたものでもよい。
【００１７】
また、ネット３０に目の粗いものを使用することにより、パッド２８からもぐさ成分が取り出し易くなり、しかも、半球面２６にネット３０を被せることにより、シワが発生することなく取り付けられる。更に、温熱体２４に半球面２６を形成し、この半球面２６を患部に当てるようにすると、より温灸効果が得やすくなる。
【００１８】
温灸突起１０，１２を患部に押し当てることにより、振動板４の揺動によるマッサージ効果を受けることができるので、患部には振動板４の揺動によるマッサージ効果と、温灸突起１０，１２の温熱による温灸効果とを同時に受けることができる。
【００１９】
以上本発明はこの様な実施形態に何等限定されるものではなく、本発明の要旨を逸脱しない範囲において種々なる態様で実施し得る。
【００２０】
【発明の効果】
以上詳述したように本発明のマッサージ機は、振動板の揺動によるマッサージ効果と、温灸突起による温灸効果とを同時に受けることができるという効果を奏する。また、パッドを着脱可能とすることにより、パッドを容易に交換することができる。
【図面の簡単な説明】
【図１】本発明の一実施形態としてのマッサージ機の正面図である。
【図２】本実施形態のマッサージ機の側面図である。
【図３】本実施形態のマッサージ機の背面図である。
【図４】図１のＡＡ拡大断面図である。
【図５】図１のＢＢ拡大断面図である。
【符号の説明】
１…マッサージ機本体　２…取手
４…振動板　　　　　　６…小突起
８…中突起　　　　　　１０，１２…温灸突起
１３…弾性支柱　　　　１４…モータ
１６…偏心軸　　　　　１８…軸受け
２０…冷却ファン　　　２２…カウンタウェイト
２４…温熱体　　　　　２６…半球面
２８…パッド　　　　　３０…ネット
３２…有底孔　　　　　３４…放熱板
３６…電熱ヒータ　　　３８…保持部材
４０…押え板　　　　　４３…コネクタ
４４…ベース部　　　　４８…キャップ
【図１】
2004073643.tif 000003
【図２】
2004073643.tif 000004
【図３】
2004073643.tif 000005
【図４】
2004073643.tif 000006
【図５】
2004073643.tif 000007